【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
複数種類の光情報媒体を記録又は再生可能な光ピックアップであって、
単一又は複数の光源と、
前記光源からの光を前記光情報媒体に集光する対物レンズと、
前記対物レンズをフォーカス方向とトラッキング方向とに移動、かつ、前記対物レンズの光軸の傾きを変更させることが可能な対物レンズアクチュエータと、
前記光情報媒体を記録又は再生の開始時に、前記光情報媒体の種類を判別する、光情報媒体判別部と、
前記光情報媒体の種類に応じて前記対物レンズの傾きに関する情報を有するチルト情報を有するチルト角格納部と、
前記光情報媒体判別部による前記光情報媒体の種類判別の結果に基づいて、前記チルト角格納部が有するチルト情報に基づいて設定される角度に、前記対物レンズを傾けるように前記対物レンズアクチュエータを駆動制御する対物レンズチルト設定部と
を備える光ピックアップ。
【請求項２】
さらに、前記光情報媒体の記録又は再生の状態を検出する、駆動状態検出部と、
前記駆動状態検出部による駆動状態に応じて、前記対物レンズを傾けるように前記対物レンズアクチュエータを駆動制御するチルト補正制御部と
を備える請求項１に記載の光ピックアップ。
【請求項３】
開口数０．８５でカバー層厚０．１ｍｍの第１の光ディスク及び開口数０．６５でカバー層厚０．６ｍｍの第２の光ディスクである前記光情報媒体を、共通の光源、及び、共通の対物レンズを用いて、記録又は再生を行うように構成されている、請求項１に記載の光ピックアップ。
【請求項４】
前記対物レンズは前記複数の光源に対応して複数設けられており、
開口数０．８５でカバー層厚０．１ｍｍの第１の光ディスク及び開口数０．６５でカバー層厚０．６ｍｍの第２の光ディスクを第１の光源及び第１の対物レンズを用いて記録又は再生を行い、
開口数０．６０でカバー層厚０．６ｍｍの第３の光ディスク及び開口数０．４５でカバー層厚１．２ｍｍの第４の光ディスクを第２の光源及び第２の対物レンズを用いて記録又は再生を行うように構成されている、請求項１に記載の光ピックアップ。
【請求項５】
前記対物レンズは前記複数の光源に対応して複数設けられており、
開口数０．８５でカバー層厚０．１ｍｍの第１の光ディスクを第１の光源及び第１の対物レンズを用いて記録又は再生を行い、
開口数０．６５でカバー層厚０．６ｍｍの第２の光ディスク、開口数０．６０でカバー層厚０．６ｍｍの第３の光ディスク及び開口数０．４５でカバー層厚１．２ｍｍの第４の光ディスクを第２の光源及び第２の対物レンズを用いて記録又は再生を行うように構成されている、請求項１に記載の光ピックアップ。
【請求項６】
請求項１に記載の光ピックアップを用いた光ディスクドライブ。
【請求項７】
請求項６に記載の、前記光ディスクドライブを用いた光情報記録再生装置。
【請求項８】
請求項２に記載の光ピックアップを用いて前記対物レンズのチルト角を調整するチルト調整方法であって、
前記光情報媒体を記録又は再生するに先立ち、前記光情報媒体判別部により光情報媒体の種類を判別し、
前記チルト角格納部に格納されている前記光情報媒体の種類に応じた前記対物レンズの傾きに関する情報であるチルト情報を読み出し、
前記光情報媒体の種類判別の結果に基づいて、前記チルト角格納部が所有するチルト情報に基づいて設定される角度に前記対物レンズを傾け、
前記光情報媒体の記録又は再生開始後に、前記記録又は再生の状態を検出し、
前記検出された光情報媒体の記録又は再生の状態に応じて、前記対物レンズの傾きをさらに調整するように前記対物レンズアクチュエータを駆動制御する、対物レンズのチルト調整方法。
【請求項９】
請求項２に記載の光ピックアップを用いて前記対物レンズのチルト角を調整するチルト調整方法であって、
前記光情報媒体を記録又は再生する際に、前記光情報媒体判別部により光情報媒体の種類を判別し、
前記チルト角格納部に格納されているチルト情報を読み出し、
前記光情報媒体の記録又は再生の状態を検出し、
前記検出された光情報媒体の記録又は再生の状態に応じて、前記対物レンズを駆動制御する際に、前記読み出されたチルト情報に示される傾き量を加減して、前記対物レンズの傾きを補正して調整するように前記対物レンズアクチュエータを駆動制御する、対物レンズのチルト調整方法。
【請求項１０】
複数種類の光情報媒体を記録又は再生可能な光ピックアップであって、
単一又は複数の光源と、
前記光源からの光を前記光情報媒体に集光する対物レンズと、
前記対物レンズをフォーカス方向とトラッキング方向とに移動させることが可能な対物レンズアクチュエータと、
前記光情報媒体を記録又は再生の開始時に、前記光情報媒体の種類を判別する、光情報媒体判別部と、
前記対物レンズから出射した光の収差を補正する収差補正素子と、
前記光情報媒体の種類に応じて前記光の収差の補正値に関する情報を格納する収差情報を有する収差補正値格納部と、
前記光情報媒体判別部による前記光情報媒体の種類判別の結果に基づいて、前記収差補正値格納部が所有する収差情報によって設定される補正値に、前記収差補正素子を駆動制御して、前記対物レンズの出射光のコマ収差を一定量オフセットさせるコマ収差設定部と、
を備える光ピックアップ。
【請求項１１】
さらに、前記光情報媒体の記録又は再生の状態を検出する、駆動状態検出部と、
前記駆動状態検出部による駆動状態に応じて、前記収差補正素子を駆動制御して、前記対物レンズの出射光のコマ収差を一定量オフセットさせるコマ収差補正部と
を備える請求項１０に記載の光ピックアップ。
【請求項１２】
前記収差補正素子は、液晶素子で構成されている、請求項１０に記載の光ピックアップ。
【請求項１３】
前記液晶素子は、前記光情報媒体の種類に応じてコマ収差と球面収差の双方を補正可能に構成されている、請求項１２に記載の光ピックアップ。
【請求項１４】
請求項１１に記載の光ピックアップを用いて前記対物レンズの出射光のコマ収差を補正するチルト調整方法であって、
前記光情報媒体を記録又は再生するに先立ち、前記光情報媒体判別部により光情報媒体の種類を判別し、
前記収差補正値格納部に格納されている前記光情報媒体の種類に応じた前記光の収差の補正値に関する情報を読み出し、
前記光情報媒体の種類判別の結果に基づいて、前記収差補正値格納部が所有する収差の補正値に基づいて設定される補正値に収差補正素子を駆動制御し、
前記光情報媒体の記録又は再生開始後に、前記記録又は再生の状態を検出し、
前記検出された光情報媒体の記録又は再生の状態に応じて、前記収差補正素子を駆動制御して、前記対物レンズの出射光のコマ収差を一定量オフセットさせる、チルト調整方法。
【請求項１５】
請求項１１に記載の光ピックアップを用いて前記対物レンズの出射光のコマ収差を補正するチルト調整方法であって、
前記光情報媒体を記録又は再生する際に、前記光情報媒体判別部により光情報媒体の種類を判別し、
前記収差補正値格納部に格納されている前記光情報媒体の種類に応じた前記光の収差の補正値に関する情報を読み出し、
前記光情報媒体の記録又は再生開始後に、前記記録又は再生の状態を検出し、
前記検出された光情報媒体の記録又は再生の状態に応じて、前記対物レンズを駆動制御する際に、前記読み出された補正値に基づく量を加減して、前記収差補正素子を駆動制御して、前記対物レンズの出射光のコマ収差を一定量オフセットさせる、チルト調整方法。
【請求項１６】
複数種類の光情報媒体を記録又は再生可能な光ピックアップであって、
単一又は複数の光源と、
前記光源からの光を前記光情報媒体に集光する対物レンズと、
前記対物レンズをフォーカス方向とトラッキング方向とに移動、かつ、前記対物レンズの光軸の傾きを変更させることが可能な対物レンズアクチュエータと、
前記光情報媒体を記録又は再生の開始時に、前記光情報媒体の種類を判別する、光情報媒体判別部と、
前記光情報媒体の種類に応じて前記対物レンズの傾きに関する情報を有するチルト情報を有するチルト角格納部と、
前記光情報媒体判別部による前記光情報媒体の種類判別の結果に基づいて、前記チルト角格納部が有するチルト情報に基づいて設定される角度に、前記対物レンズを傾けるように前記対物レンズアクチュエータを駆動制御する対物レンズチルト設定部と
前記光情報媒体の記録又は再生の状態を検出する、駆動状態検出部と、
前記駆動状態検出部による駆動状態に応じて、前記収差補正素子を駆動制御して、前記対物レンズの出射光のコマ収差を一定量オフセットさせるコマ収差補正部と
を備える光ピックアップ。
【請求項１７】
請求項１６に記載の光ピックアップを用いて前記対物レンズのチルト角を調整するチルト調整方法であって、
前記光情報媒体を記録又は再生するに先立ち、前記光情報媒体判別部により光情報媒体の種類を判別し、
前記チルト角格納部に格納されている前記光情報媒体の種類に応じた前記対物レンズの傾きに関する情報であるチルト情報を読み出し、
前記光情報媒体の種類判別の結果に基づいて、前記チルト角格納部が所有するチルト情報に基づいて設定される角度に前記対物レンズを傾け、
前記光情報媒体の記録又は再生開始後に、前記記録又は再生の状態を検出し、
前記検出された光情報媒体の記録又は再生の状態に応じて、前記収差補正素子を駆動制御して、前記対物レンズの出射光のコマ収差を一定量オフセットさせる、チルト調整方法。
【請求項１８】
請求項１６に記載の光ピックアップを用いて前記対物レンズのチルト角を調整するチルト調整方法であって、
前記光情報媒体を記録又は再生する際に、前記光情報媒体判別部により光情報媒体の種類を判別し、
前記チルト角格納部に格納されているチルト情報を読み出し、
前記光情報媒体の記録又は再生の状態を検出し、
前記検出された光情報媒体の記録又は再生の状態に応じて、前記対物レンズを駆動制御する際に、前記読み出されたチルト情報に示される傾き量を加減しつつ前記収差補正素子を駆動制御して、前記対物レンズの出射光のコマ収差を一定量オフセットさせる、チルト調整方法。
【請求項１９】
複数種類の光情報媒体を記録又は再生可能な光ピックアップであって、
単一又は複数の光源と、
前記光源からの光を前記光情報媒体に集光する対物レンズと、
前記対物レンズをフォーカス方向とトラッキング方向とに移動、かつ、前記対物レンズの光軸の傾きを変更させることが可能な対物レンズアクチュエータと、
前記光情報媒体を記録又は再生の開始時に、前記光情報媒体の種類を判別する、光情報媒体判別部と、
前記対物レンズから出射した光の収差を補正する収差補正素子と、
前記光情報媒体の種類に応じて前記光の収差の補正値に関する情報を格納する収差情報を有する収差補正値格納部と、
前記光情報媒体の記録又は再生の状態を検出する、駆動状態検出部と、
前記駆動状態検出部による駆動状態に応じて、前記対物レンズを傾けるように前記対物レンズアクチュエータを駆動制御するチルト補正制御部と
を備える光ピックアップ。
【請求項２０】
請求項１９に記載の光ピックアップを用いて前記対物レンズのチルト角を調整するチルト調整方法であって、
前記光情報媒体を記録又は再生するに先立ち、前記光情報媒体判別部により光情報媒体の種類を判別し、
前記収差補正値格納部に格納されている前記光情報媒体の種類に応じた前記光の収差の補正値に関する情報を読み出し、
前記光情報媒体の種類判別の結果に基づいて、前記収差補正値格納部が所有する収差の補正値に基づいて設定される補正値に収差補正素子を駆動制御し、
前記光情報媒体の記録又は再生開始後に、前記記録又は再生の状態を検出し、
前記検出された光情報媒体の記録又は再生の状態に応じて、前記対物レンズの傾きをさらに調整するように前記対物レンズアクチュエータを駆動制御する、対物レンズのチルト調整方法。
【請求項２１】
請求項１９に記載の光ピックアップを用いて前記対物レンズのチルト角を調整するチルト調整方法であって、
前記光情報媒体を記録又は再生する際に、前記光情報媒体判別部により光情報媒体の種類を判別し、
前記収差補正値格納部に格納されている前記光情報媒体の種類に応じた前記光の収差の補正値に関する情報を読み出し、
前記光情報媒体の記録又は再生開始後に、前記記録又は再生の状態を検出し、
前記検出された光情報媒体の記録又は再生の状態に応じて、前記対物レンズを駆動制御する際に、前記読み出された前記光の収差の補正値に関する情報に示される傾き量を加減して、前記対物レンズの傾きを補正して調整するように前記対物レンズアクチュエータを駆動制御する、対物レンズのチルト調整方法。
【請求項２２】
前記光情報媒体判別部は、
前記光ピックアップで検出した前記光情報媒体からの反射光より、光ビームが前記光情報媒体の表面付近で焦点を結んだことを示す第１合焦信号と、前記光ビームが反射膜層付近で焦点を結んだことを示す第２合焦信号を検出する信号処理部と、
前記対物レンズアクチュエータにより前記対物レンズを前記光情報媒体に接近させた場合に、前記第１合焦信号の検出時点から前記第２合焦信号の検出時点までの経過時間を計測する計時部とを有し、
前記経過時間に基づき前記光情報媒体の種類を判別する判別部とを備えた請求項１から５、１０から１３、および１６のいずれか一に記載の光ピックアップ。
【請求項２３】
前記判別部は、予め設定された基準値と前記経過時間の値とを比較し、前記比較の結果に基づき前記光情報媒体の種類を判別する請求項２２に記載の光ピックアップ。